【事件の表示】
　特許第３４５５８８４号「プリズムシート」の請求項１に係る特許に対する特許異議の申立てについて、次のとおり決定する。
【結　論】
　訂正を認める。
　特許第３４５５８８４号の請求項１に係る特許を取り消す。
【理　由】
１．手続きの経緯
　本件特許第３４５５８８４号に係る発明は、平成５年１２月２８日に特許出願され、平成１５年８月１日にその特許の設定登録がされ、その後、異議申立人尾田久敏より特許異議の申立てがなされ、取消理由通知がなされ、その指定期間内である平成１６年９月１４日に訂正請求がなされたたものである。
　
２．訂正の適否についての判断
（１）訂正の内容
　訂正事項
ａ．訂正前の請求項１「出射面がある面積を有する面光源装置の出射面側に配置して用いるプリズムシートで、前記プリズムシートが両面にその断面形状が三角形又は波形で同一断面形状のまま一方向に伸び夫々が並び配列されている多数の凸部を有し、前記プリズムシートの一方の面の凸部の伸びる方向と他の面の凸部の伸びる方向とが互いに異なる方向であり更に凸部の伸びる方向が前記プリズムシートの四つの辺に対して斜めになることを特徴とするプリズムシート。」を、「出射面がある面積を有する面光源装置の出射面側に配置して用いるプリズムシートで、前記プリズムシートが両面にその断面形状が三角形又は波形で同一断面形状のまま一方向に伸び夫々が並び配列されている多数の凸部を有し、前記プリズムシートの一方の面の凸部の伸びる方向と他の面の凸部の伸びる方向とが互いに異なる方向であり更に凸部の伸びる方向が前記プリズムシートの四つの辺に対して斜めになり、前記一方の面の凸部及び前記他の面の凸部の頂角θが５０°〜１１０°であり、且つ、前記一方の面の凸部と前記他方の面の凸部の頂角θが異なる、ことを特徴とするプリズムシート。」と訂正する。
ｂ．訂正前の特許明細書【０００９】段落の「形成したもので、各凸部の頂点が伸びる方向が両面において互いに異なるようにしたものである。」を、「形成したものである。そして、プリズムシートの一方の面の凸部の伸びる方向と他の面の凸部の伸びる方向とが互いに異なる方向であり更に凸部の伸びる方向が前記プリズムシートの四つの辺に対して斜めになっている。また、一方の面の凸部及び前記他の面の凸部の頂角θが５０°〜１１０°であり、且つ、一方の面の凸部と他の面の凸部の頂角θが異なるようになっている。」と訂正する。
　
（２）訂正の目的の適否、新規事項の有無及び拡張・変更の存否
　訂正事項ａについて
　上記訂正事項ａは、訂正前の請求項１における、「斜めになることを特徴とするプリズムシート」を、「斜めになり、前記一方の面の凸部及び前記他方の面の凸部の頂角θが５０°〜１１０°であり、且つ、前記一方の面の凸部と前記他方の面の凸部の頂角θが異なる、ことを特徴とするプリズムシート」と限定するものであるから、特許請求の範囲の減縮を目的とするものである。
　「前記一方の面の凸部及び前記他方の面の凸部の頂角θが５０°〜１１０°であり、且つ、前記一方の面の凸部と前記他方の面の凸部の頂角θが異なる」点は、特許明細書の【００１５】及び【００１６】段落に記載されていたものである。
　また、訂正事項ａは、実質上特許請求の範囲を拡張または変更するものではない。
　訂正事項ｂについて
　上記訂正事項ｂは、特許請求の範囲の請求項１の訂正に伴い、特許請求の範囲の記載と発明の詳細な説明の記載との整合を図るため、願書に添付した明細書の【０００９】段落の対応する記載を訂正したものであるから、この訂正は、明りようでない記載の釈明にあたる。
　上記訂正事項ｂは、願書に添付した明細書又は図面に記載した事項の範囲内の訂正であり、実質上特許請求の範囲を拡張し又は変更するものではない。
　　
（３）むすび
　以上のとおりであるから、上記訂正は、平成６年法律第１１６号附則第６条第１項の規定によりなお従前の例によるとされる、特許法第１２０条の４第３項において準用する平成６年法律第１１６号による改正前の特許法第１２６条第１項ただし書、同条第２項及び第３項の規定に適合する。
　従って、当該請求を認める。
　
３．特許異議申立てについての判断
（１）申立ての理由の概要
　特許異議申立人尾田久敏は、証拠として甲第１号証（特開平６−３４７６１３号公報）を提示し、本件の請求項１に係る発明は、特願平５−１５８０５０号（特開平６−３４７６１３号、以下先願という。）の願書に最初に添付された明細書（以下、「先願明細書」という。）又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定の規定に違反してなされたものであり特許を取り消すべき旨主張している。
　
（２）本件発明
　上記２．で示したように上記訂正が認められるから、本件の請求項１に係る発明（以下、「本件発明」という。）は、上記訂正請求に係る訂正明細書の特許請求の範囲の請求項１に記載された事項により特定される以下のとおりのものである。
【請求項１】　
　出射面がある面積を有する面光源装置の出射面側に配置して用いるプリズムシートで、
　前記プリズムシートが両面にその断面形状が三角形又は波形で同一断面形状のまま一方向に伸び夫々が並び配列されている多数の凸部を有し、
　前記プリズムシートの一方の面の凸部の伸びる方向と他の面の凸部の伸びる方向とが互いに異なる方向であり更に凸部の伸びる方向が前記プリズムシートの四つの辺に対して斜めになり、
　前記一方の面の凸部及び前記他の面の凸部の頂角θが５０°〜１１０°であり、且つ、前記一方の面の凸部と前記他の面の凸部の頂角θが異なる、
　ことを特徴とするプリズムシート。
　
（３）先願の発明
　当審が通知した取消しの理由に引用された上記先願には以下の事項が記載されている。
　先願明細書の【０００１】ないし【０００６】段落に、
「【０００１】
　【産業上の利用分野】本発明は、フィルムレンズおよびその製造方法に関するものであり、液晶表示装置バックライト用…などに有用なものである。
【０００２】
【従来の技術】
　…液晶表示装置のバックライト用の面光源として透光性平板を導光体としたエッジライト方式のものが知られている。…
【０００３】
【発明が解決しようとする課題】
　しかし、従来の技術では、導光体の光放出面上にレンズシートを積層し、そのレンズ形状に三角プリズム型の単位レンズ部を多数平行に配列したレンチキュラーレンズを用いた…。
【０００４】…本発明は、液晶表示装置のバックライト用として、所望の角度内に高輝度で均一な光拡散効果がある…方法を提供することを目的としている。
【０００５】
【課題を解決するための手段】
　上記の目的を達成するために本発明は、
【請求項１】　凸レンズ又は凹レンズからなる単位レンズをその稜線が互いに平行になる様に多数配列した線形レンズ群が表裏両面に形成されてなり、表面の線形レンズ群の稜線方向と裏面の線形レンズ群の稜線方向とが、角度σ°（０°＜σ＜１８０°）で交叉する事を特徴とする透明なフィルムレンズ。
【請求項２】　該フィルムレンズの形状が長方形の帯状形状を呈し、該フィルムレンズの表面及び裏面の線形レンズ群の稜線方向と帯状フィルムの両側面の辺とのなす角度が各々９０°−σ／２°となる様に形成されてなる事を特徴とする請求項１記載のフィルムレンズ。
…
【０００６】本発明のフィルムレンズ１は、例えば図８（Ａ）〜（Ｄ）のように柱状体の単位レンズ１１をその稜線方向ｘ１（又はｘ２）を平行にして隣接して配列させてなる柱状レンズ群（広義のレンチキュラーレンズ）…が使用される。
　ここで柱状レンズ群の場合、表面レンズの稜線ｘ１と裏面稜線ｘ２とのなす角度をσに設定する。又突起レンズ群の場合、表裏レンズ群同志の交叉角度σは該配列軸同志の角度として定義する。又レンズ群と長方形帯状フィルムとの交叉角度σ／２は、該配列軸と長方形帯状フィルムの側面の辺とのなす角度とし定義される。
　此処で単位レンズ１１の断面形状としては…、正弦波…等の連続で滑らかな曲線、或いは三角形（図８（Ｂ））…を用いる。
【０００８】（１）（原文は丸数字）一般に面光源の法線方向が長軸となっ楕円が輝度が高く好ましい。特に直下型（図５）の面光源や照明広告板で殆どフィルムレンズに垂直な平行光束が入射する場合は、球面収差のないレンズに設計すると、所定の拡散角内に均一な拡散光を分布させる事が出来るので好ましい。
　…
【０００９】（２）（原文は丸数字）図４のようなエッジライト型面光源の場合、（１）（原文は丸数字）の直下型の場合とは異なり、　…　
【００１５】
　本発明のフィルムレンズ１は、表面と裏面との両方に前記の柱状又は突起状レンズ群が形成されているが、表のレンズ群の稜線又は配列軸ｘ１と裏面のレンズ群の稜線又は配列軸ｘ２とを角度σで交叉させる。此処で、
　０°＜σ＜１８０°　式（１５）
である。
　又本発明では、長方形の帯状形状フィルムの両側の辺と該レンズ群の稜線又は配列軸ｘ１、ｘ２のなす角度は図２（Ｂ）のように定義する。即ち、１点Ａで互いに交叉する表面の軸ｘ１と裏面の軸ｘ２とが側面の辺とそれぞれ点Ｂ、点Ｃで交わる時、これら３点の作る三角形ＡＢＣを考え、軸ｘ１、軸ｘ２と側面の辺との交わる角度のうち、該三角形ＡＢＣの内角となるものを選んで、それぞれ、軸ｘ１と辺とのなす角度、軸ｘ２と辺とのなす角度と定義する。
　軸ｘ１と辺とのなす角度∠Ｂと軸ｘ２と辺とのなす角度∠Ｃとは、一般には異なる場合もあり得るが、後述の様に、製造上両者が等しい方が容易である。此の場合軸Ｘ１、Ｘ２と側面の辺とのなす角度は、
　　∠Ｂ＝∠Ｃ＝π／２−σ／２＝９０°−σ／２　　　式（１６）
である。
　
　先願の出願当初の図２、図４、図５及び図８は以下のとおりである。
　
　　
　したがって、先願には、
「液晶表示装置バックライト用の面光源に用いられる所望の角度内に高輝度で均一な光拡散効果があるレンズフィルムであって、
　直下型の面光源（図５参照）またはエッジライト型面光源（図４参照）出射面に設けられるレンズフィルムであり、
　該フィルムレンズは、凸レンズ又は凹レンズからなる単位レンズをその稜線が互いに平行になる様に多数配列した線形レンズ群が表裏両面に形成されてなり、表面の線形レンズ群の稜線方向と裏面の線形レンズ群の稜線方向とが、角度σ°（０°＜σ＜１８０°）で交叉し（請求項１参照）、
　該フィルムレンズの形状が長方形の帯状形状を呈し、該フィルムレンズの表面及び裏面の線形レンズ群の稜線方向と帯状フィルム（当該帯状フィルムは上記フィルムレンズと同義）の両側面の辺とのなす角度が各々９０°−σ／２°となる様に形成され（請求項２及び図２参照）、
　単位レンズの断面形状としては、正弦波等の連続で滑らかな曲線、或いは三角形（図８（Ｂ）及び【０００６】段落参照）
フィルムレンズ。」
の発明（以下、「先願発明」という。）が記載されている。
　
（４）対比・判断
　本件発明と先願発明とを対比すると、先願発明の「液晶表示装置バックライト用の面光源」、「フィルムレンズ」、「帯状フィルムの両側面の辺」及び「レンズ群の稜線方向」は、本件発明の「射出面がある面積を有する面光源装置」「プリズムシート」、「プリズムシートの四つの辺」及び「プリズムシートの面の凸部の伸びる方向」にそれぞれ相当する。
　また、先願発明では、レンズの断面形状として、正弦波等の連続で滑らかな曲線、或いは三角形を用いる構成であるから、当該構成は、本件発明の「プリズムシートが両面にその断面形状が三角形又は波形」である構成に相当する。
　また、先願発明では、フィルムレンズは、凸レンズ又は凹レンズからなる単位レンズをその稜線が互いに平行になる様に多数配列した線形レンズ群を有する構成であるから、当該構成は、本件発明の「同一断面形状のまま一方向に伸び夫々が並び配列されている多数の凸部を有」する構成に相当する。
　また、先願発明では、フィルムレンズは、線形レンズ群が表裏両面に形成されてなり、表面の線形レンズ群の稜線方向と裏面の線形レンズ群の稜線方向とが、角度σ°（０°＜σ＜１８０°）で交叉し、
　該フィルムレンズの形状が長方形の帯状形状を呈し、該フィルムレンズの表面及び裏面の線形レンズ群の稜線方向と帯状フィルム（当該帯状フィルムは上記フィルムレンズと同義）の両側面の辺とのなす角度が各々９０°−σ／２°となる様に形成される構成であるから、当該構成は、本件発明の「プリズムシートの一方の面の凸部の伸びる方向と他の面の凸部の伸びる方向とが互いに異なる方向であり更に凸部の伸びる方向が前記プリズムシートの四つの辺に対して斜めになり、
　前記一方の面の凸部及び前記他の面の凸部の頂角θが５０°〜１１０°であり、且つ、前記一方の面の凸部と前記他の面の凸部の頂角θが異なる」構成に相当する。
　
　そうすると、両者は、
「出射面がある面積を有する面光源装置の出射面側に配置して用いるプリズムシートで、
　前記プリズムシートが両面にその断面形状が三角形又は波形で同一断面形状のまま一方向に伸び夫々が並び配列されている多数の凸部を有し、
　前記プリズムシートの一方の面の凸部の伸びる方向と他の面の凸部の伸びる方向とが互いに異なる方向であり更に凸部の伸びる方向が前記プリズムシートの四つの辺に対して斜めにな」る点で一致し、以下の点で、一応相違する。
　
　相違点１；本件発明が、一方の面の凸部及び他の面の凸部の頂角θが５０°〜１１０°であるのに対し、先願発明では頂角についての限定がない点。
。
　相違点２；本件発明が、一方の面の凸部と他の面の凸部の頂角θが異なるのに対し、先願発明では一方の面の凸部と他の面の凸部の頂角異なる旨の記載がない点。
　
　以下相違点について検討する。
　相違点１について検討すると、先願発明には、頂角の範囲について記載がないが、先願発明の「所望の角度内に高輝度で均一な光拡散効果」を得る目的からすると、頂角θが５０°〜１１０°とすることは、具体化手段における単なる設計上の微差に属するものであり、実質的な相違であるとは認められない。
　
　相違点２について検討すると、先願発明には、一方の面の凸部と他方の面の凸部の頂角θが異なる点の記載はないが、一方の面の凸部と他方の面の凸部の頂角θが異なる点による格別の作用、効果についての記載はなく、特に意義は認められず、単なる設計上の微差に属するものであり、実質的な相違であるとは認められない。
　なお、相違点２の意義について被請求人に電話により意見を求め、平成１７年５月１６日にファクシミリにより得た回答からは、本件特許請求の範囲及び明細書の詳細な説明に基づく意義は認められなかった。
　　
４．むすび
　　以上のとおりであるから、本件発明は、先願明細書に記載された発明と同一であり、しかも、本件発明の発明者が上記先願明細書に記載された発明の発明者と同一であるとも、また、本願の出願時に、その出願人が上記他の出願の出願人と同一であるとも認められないので、本件発明は、特許法第２９条の２第１項の規定により特許を受けることができない。
　
　したがって、本件発明についての特許は、特許法第１１３条第２号に該当し、取り消されるべきものである。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第１及び２項の規定により、結論のとおり決定する。
【異議決定日】
平成１７年６月９日（２００５．６．９）
【訂正の要旨】
審決（決定）の【理由】欄参照。
（５４）【発明の名称】
プリズムシート
（５７）【特許請求の範囲】
　【請求項１】出射面がある面積を有する面光源装置の出射面側に配置して用いるプリズムシートで、
　前記プリズムシートが両面にその断面形状が三角形又は波形で同一断面形状のまま一方向に伸び夫々が並び配列されている多数の凸部を有し、
　前記プリズムシートの一方の面の凸部の伸びる方向と他の面の凸部の伸びる方向とが互いに異なる方向であり更に凸部の伸びる方向が前記プリズムシートの四つの辺に対して斜めにな
り、
　
前記一方の面の凸部及び前記他の面の凸部の頂角θが５０°〜１１０°であり、且つ、前記一方の面の凸部と前記他の面の凸部の頂角θが異なる、
　ことを特徴とするプリズムシート。
【発明の詳細な説明】
　【０００１】
　【産業上の利用分野】
　本発明は、拡散光により物体を照明する面光源装置で用いるプリズムシートに関するものである。
　【０００２】
　【従来の技術】
　図５は従来のプリズムシートを用いた面光源装置の構成を示す図で、直線状の光源１よりの光を透明体よりなる導光体２へ入射させ、入射端面２ａから反対側へ光を伝送する間に下面２ｃに設けられた部分的な拡散作用を有する反射面によって一部拡散され上方の出射面２ｂより出射した後に拡散板３を通り拡散光となる。尚４は反射面で導光体２の出射面（拡散板３の側の面）とは反対側に配置されている。これによって比較的均一な輝度分布の照明光になし得る。しかし、この面光源装置を例えば液晶表示板のバックライトとして使用した場合、拡散光は拡散板３よりあらゆる方向に向かうためにその一部が液晶表示板から外れ、光量をロスする。特に、液晶表示板ではこれにほぼ垂直な方向にて観察するために、液晶表示板を照明した光でも観察者の眼に到達しない多くの光がある。
　【０００３】
　【発明が解決しようとする課題】
　このような欠点を解消するために図５に示すように面光源装置の拡散板３の前にプリズムシート５を用いたものがある。このプリズムシート５は、図示するように断面が多数の三角形状をなし紙面に垂直な方向に伸びた形状のもので、これによってたとえばＬ１方向に進む光線を内側に屈曲させ、拡散板３を通った拡散光を拡散板３に垂直又はほぼ垂直な方向に向け、観察者の方向に向けることにより液晶表示板から外れる光を表示板に入射させるようにし、更にすべての方向の拡散光を出来る限り観察者の方向に向けるようにしている。
　【０００４】
　しかし、このようなプリズムシート５を用いた場合、プリズムシート５の頂点５ａの伸びる方向つまり紙面に垂直な面の方向では、光線を内側へ曲げる作用は生じない。
　【０００５】
　この欠点を解決するために、２枚のプリズムシートをそのプリズムの頂点の伸びる方向が互いに異なるように配置することが考えられる。しかし、２枚のプリズムシートを配置すると、シートとシートの間に空気間隔が出来、入射面での反射のために透過する光が減少し光量の損失をまねく。
　【０００６】
　また、製造工程中、シートとシートの間にゴミや埃などが挟まり、面光源装置の輝度を低下させてしまうことがあった。
　【０００７】
　尚図６は、反射板６を用いた面光源装置にプリズムシート５を配置した従来例で、この場合も前述の欠点を有する。
　【０００８】
　本発明の目的は、光源よりの光を拡散板通して拡散光として使用する面光源装置で用いるプリズムシートで、拡散板を通りあらゆる方向へ向かう拡散光をその内側へ曲げ得て、又入射面での反射による光量損失の少ないプリズムシートを提供することにある。
　【０００９】
　【課題を解決するための手段】
　本発明のプリズムシートは、導光板や反射板を用いた面光源装置で用いるもので、シートの両面に断面が三角形又は波形で一方向に連続して伸びる多数の凸部を形成したものである。
そして、プリズムシートの一方の面の凸部の伸びる方向と他の面の凸部の伸びる方向とが互いに異なる方向であり更に凸部の伸びる方向が前記プリズムシートの四つの辺に対して斜めになっている。また、一方の面の凸部及び他の面の凸部の頂角θが５０°〜１１０°であり、且つ、一方の面の凸部と他の面の凸部の頂角θが異なるようになっている。
　【００１０】
　【実施例】
　次に本発明の実施例を説明する。図１は本発明の実施例を示す斜視図で、シート１０の両面に夫々多数の凸部１１，１２が形成されている。この凸部１１又は１２の断面形状は、三角形状であって、例えば図面上方の面の凸部１１は、その頂点１１ａが並び配列されている。同様にプリズムシート下面の凸部１２もその頂点１２ａが並び配列されている。しかも上面の凸部１１の頂点１１ａの伸びる方向と下面の凸部１２の頂点１２ａの伸びる方向とは互いに９０°異なる方向を向いている。
　【００１１】
　このようなプリズムシートを、例えば図５又は図６に示す面光源装置のプリズムシート５の代わりに使用すれば、図２に示すようにこのプリズムシート１０に入射する拡散光のうちｘ方向に広がる光Ｌ１は、図２（Ａ）に示すように進み、又ｙ方向にて広がる光Ｌ２は図２（Ｂ）に示すように進む。これらの図に示すようにｘ方向，ｙ方向のいずれの方向においても拡散光は、内側へ曲げられ、液晶表示板等の照明しようとする面内へ向けられ、表示板をより明るく照明出来る。更にプリズムシート１０より出射する光は、シート面にほぼ垂直な方向に向かう光が多くなるため、表示板に対して垂直な方向より観察する観察者にとってより明るい像での観察が可能になる。又プリズムシート内に空隙がないため、反射による光量の損失が少ない。しかも、拡散光であるにも拘わらず広がりが少ないため、光源から離れても単位面積当たりの光量の減少が少なく、離れた位置でも明るい像を観察出来る。
　【００１２】
　図３は本発明のプリズムシートの他の実施例を示す図で、各プリズム１１および１２の頂点１１ａ，１２ａの伸びる方向が、プリズムシート１０の四つの辺に対し斜めにした形状のものである。又頂点１１ａの伸びる方向と頂点１２ａとは９０°ずれた方向である。
　【００１３】
　この実施例においても、ｘ方向とｙ方向とをプリズムシート１０の辺に対し斜めの方向にとって考えれば、前述の図１に示す実施例と同じ作用を奏することは明らかである。
　【００１４】
　上記の両実施例においては、プリズムシート１０の一方の面のプリズム１１の頂点１１ａの方向と他方の面のプリズム１２の頂点１２ａの方向とが９０°ずれて形成されているが、その角度は９０°に限ることなく、９０°以外の他の角度でもよく、使用目的等に応じて適宜決めればよい。
　【００１５】
　又頂角θは５０°〜１１０°の範囲が望ましく、更にプリズム１１の頂角とプリズム１２の頂角を前記範囲内において異なった角度にすることも可能である。
　【００１６】
　更に各プリズムの断面形状は、三角形に限ることなく図４に示すような波形でもよい。このように波形にした場合は、波の山の部分の頂点Ａと谷の部分の底Ｂとを結んで出来る三角形の角θが上記範囲を満足すればよい。又図１および図３の実施例のいずれの場合も波形とすることが可能であり、更に両面の頂点Ａの伸びる方向のずれの角度は９０°又はそれ以外の角度になっている。更に両面でθの異なる波形を用いてもよい。
　【００１７】
　【発明の効果】
　本発明のプリズムシートは、これを面光源装置と共に使用した場合、広がる拡散光を全体としてプリズムシート面にほぼ垂直な方向に向けることが出来、又面での反射が少なく明るい面光源になし得る。
　【００１８】
　また、プリズムシートを２枚用いる場合には、製造工程中、プリズムシートの間にごみや埃などの異物が挟まってしまうことがあったが、本発明の場合、そのようなことは起こらないので、品質管理が容易になる。
【図面の簡単な説明】
　【図１】
　本発明のプリズムシートの実施例の斜視図
　【図２】
　前記実施例の光線の屈折状況の概要を示す図
　【図３】
　本発明のプリズムシートの他の実施例の斜視図
　【図４】
　本発明のプリズムシートのプリズムの他の形状を示す図
　【図５】
　導光板を用いた面光源装置の構成を示す図
　【図６】
　反射板を用いた面光源装置の構成を示す図
　【符号の説明】
　１０……プリズムシート、１１……プリズム、１２……プリズム